【手続補正書】
【提出日】令和2年10月14日(2020.10.14)
【手続補正１】
【補正対象書類名】特許請求の範囲
【補正対象項目名】全文
【補正方法】変更
【補正の内容】
【特許請求の範囲】
【請求項１】
プロセス制御プラントに関する情報を安全に広めるためのシステムであって、
前記プロセスプラントにおいてプロセスを制御するように動作可能な複数のプロセス制御デバイスと、前記複数のプロセス制御デバイスに連結されるコントローラとを備える前記プロセス制御ノードであって、前記コントローラから受信される前記プロセスプラントの情報を、第１のネットワークを介して伝送するように動作可能な通信モジュールをさらに備える、プロセス制御ノードと、
前記プロセスプラントの前記情報を、前記通信モジュールから前記第１のネットワークを介して受信し、その情報の一部または全部を、第２のネットワークを介して伝送するように動作可能なデータサービスモジュールと、
前記第２のネットワークに連結され、前記データサービスモジュールからデータを受信するように動作可能なモバイルサーバであって、第３のネットワークに連結され、
前記第３のネットワークを介して複数のモバイルコンピューティングデバイスと通信するように、
前記モバイルコンピューティングデバイスの各々から、前記モバイルサーバから前記それぞれのモバイルコンピューティングデバイスに伝送される１つ以上のアラーム、１つ以上のプロセス制御パラメータ、及び／または１つ以上の通知の選択を受信するように、ならびに、
前記それぞれのモバイルコンピューティングデバイスから受信される前記選択に従って、前記選択された通知、アラーム、及び／またはプロセス制御パラメータのデータを前記モバイルコンピューティングデバイスの各々に伝送するように動作可能なモバイルサーバと、を備える、システム。
【請求項２】
前記プロセス制御ノードが、前記プロセス制御ノードから前記データサービスモジュールに構成情報を含む構成ファイルをトランスポートするように構成されるファイルインターフェースモジュールをさらに備え、前記構成情報が、前記プロセスプラントの前記構成を指定する情報を含み、前記構成ファイルは前記コントローラに前記プロセスプラントの制御を行わせるために前記コントローラに提供される、請求項１に記載のシステム。
【請求項３】
前記構成情報が、前記プロセスプラントにおける前記プロセスエンティティ間の物理的及び論理的関係を指定するデータを含む、請求項２に記載のシステム。
【請求項４】
（ｉ）前記通信モジュールと前記データサービスモジュールとの間に配される通信ファイアウォール、（ｉｉ）前記第１のネットワークと前記第２のネットワークとの間に配される通信ファイアウォール、及び／または（ｉｉｉ）前記第２のネットワークと前記第３のネットワークとの間に配される通信ファイアウォールをさらに備える、請求項１から３のいずれか一項に記載のシステム。
【請求項５】
前記モバイルサーバが、前記モバイルコンピューティングデバイスの１つ以上に伝送される選択されたパラメータのリストを受信するように、及び前記選択されたパラメータを含むデータストリームを前記１つ以上のモバイルコンピューティングデバイスに伝送するように動作可能である、請求項１から４のいずれか一項に記載のシステム。
【請求項６】
前記モバイルサーバが、前記モバイルコンピューティングデバイスの１つ以上に伝送される選択されたアラームのリストを受信するように、及び前記選択されたアラームを含むデータストリームを前記１つ以上のモバイルコンピューティングデバイスに伝送するように動作可能である、請求項１から５のいずれか一項に記載のシステム。
【請求項７】
前記第３のネットワークが、モバイル電話通信ネットワークまたはインターネットを備える、請求項１から６のいずれか一項に記載のシステム。
【請求項８】
前記モバイルサーバが、システムレベル通知を前記複数のモバイルコンピューティングデバイスの全てに送信するように、及び前記モバイルコンピュータデバイスの特定のものの各々と関連付けられるユーザー選好に従って、前記ユーザーレベル通知を前記モバイルコンピュータデバイスの前記特定のものに送信するように構成される、請求項１から７のいずれか一項に記載のシステム。
【請求項９】
前記データサービスモジュールにおいて動作するインデクシングルーチンをさらに備え、前記インデクシングルーチンが、検索可能なインデックスを生じさせて前記モバイルサーバによって遂行される検索動作をサポートするために、前記構成情報に対してインデクシング動作を遂行する、請求項２に記載のシステム。
【請求項１０】
前記モバイルサーバが、前記モバイルコンピューティングデバイスの個別のものから検索クエリを受信するように、ならびに、前記検索可能なインデックスを使用した前記検索クエリに従って、通知、アラーム、デバイス、制御モジュール、及び／またはプロセス制御パラメータに関する情報を識別し、検索するように構成される、請求項９に記載のシステム。
【請求項１１】
前記モバイルサーバが、前記通信機モジュールからランタイム値を受信し、また、前記受信したランタイム値の特定のものを、前記受信したランタイム値の前記特定のものにサブスクライブされる前記モバイルコンピューティングデバイスの特定のものに転送するように構成される、請求項１から１０のいずれか一項に記載のシステム。
【請求項１２】
前記プロセスプラントの前記情報が、前記プロセス制御プラント内の１つ以上のワークステーションに表示するように構成される表示コンポーネントを含み、
前記表示コンポーネントが、前記モバイルサーバに通信され、
前記モバイルサーバが、前記表示コンポーネントを、選択された通知、アラーム、及び／またはプロセス制御パラメータの対応するデータと共に、モバイルコンピューティングデバイスに通信する、請求項１から１１のいずれか一項に記載のシステム。
【請求項１３】
第１のネットワークに連結され、前記第１のネットワークからプロセス制御システムに
関する情報を受信し、複数のモバイルコンピューティングデバイスに連結される第２のネットワークに連結されるモバイルサーバであって、データサービスモジュールからデータを受信するように動作可能であり、
前記モバイルコンピューティングデバイスの各々から、前記モバイルサーバから前記それぞれのモバイルコンピューティングデバイスに伝送される１つ以上のアラーム、１つ以上のプロセス制御パラメータ、及び／または１つ以上の通知の選択を受信するように、ならびに、
前記それぞれのモバイルコンピューティングデバイスから受信した前記選択に従って、前記選択された通知、アラーム、及び／またはプロセス制御パラメータのデータを前記モバイルコンピューティングデバイスの各々に伝送するように動作可能である、モバイルサーバ。
【請求項１４】
前記モバイルサーバが、前記プロセス制御ノードからの構成情報を含む構成ファイルを前記データサービスモジュールからさらに受信可能であり、前記構成情報が、前記プロセス制御システムの前記構成を指定する情報を含み、前記構成ファイルは前記コントローラに前記プロセスプラントの制御を行わせるために前記コントローラに提供される、請求項１３に記載のモバイルサーバ。
【請求項１５】
前記構成情報が、前記プロセスプラントにおける前記プロセスエンティティ間の物理的及び論理的関係を指定するデータを含む、請求項１４に記載のモバイルサーバ。
【請求項１６】
前記モバイルサーバが、前記モバイルコンピューティングデバイスの１つ以上に伝送される選択されたパラメータのリストを受信するように、及び前記選択されたパラメータを含むデータストリームを前記１つ以上のモバイルコンピューティングデバイスに伝送するように動作可能である、請求項１３から１５のいずれか一項に記載のモバイルサーバ。
【請求項１７】
前記モバイルサーバが、コントローラから受信されるプロセスプラントの情報を伝送するように動作可能な通信機モジュールからランタイム値を受信し、また、特定の受信したランタイム値を、前記受信したランタイム値の前記特定のものにサブスクライブされる前記モバイルコンピューティングデバイスの特定のものに転送するように構成される、請求項１３から１６のいずれか一項に記載のモバイルサーバ。
【請求項１８】
前記モバイルサーバが、複数のリストを維持し、各リストが、前記モバイルコンピューティングデバイスの少なくとも１つがサブスクライブされる一組の項目に対応し、各リストが、一組のプロセス、一組の設備、一組のアラーム、一組のプロセス値、一組の重要業績評価指標、及び／または一組のバッチのうちの１つ以上を含む、請求項１３から１７のいずれか一項に記載のモバイルサーバ。
【請求項１９】
前記モバイルサーバが、前記モバイルコンピューティングデバイスから、前記複数のリストに追加されるカスタマイズされたリストを受信するように構成される、請求項１８に記載のモバイルサーバ。
【請求項２０】
前記モバイルサーバが、ウェブページインターフェースを介して、前記複数のリストに追加されるカスタマイズされたリストを受信するように構成される、請求項１８に記載のモバイルサーバ。